(57)【要約】      （修正有）【課題】車検用ステッカーにおいて、有効期限の判別が容易で、表示情報が豊富なステッカーを提供する。【解決手段】シート状ベース板と、このベース板の上面に接着層を介して剥離自在に並列された複数枚のステッカー本体とから成り、前記ステッカー本体は、少なくとも車両のルームミラー５の背面側５ａに貼り付けることができるように所定の大きさの長方形状に形成され、かつ、表面には、車検が済んだ時或いは車両販売時、次の車検の有効期限を意味する数字を横方向に付すことができる表示欄７が設けられている。【選択図】  図４
2006220763.tif 000002
【特許請求の範囲】
【請求項１】
シート状ベース板と、このベース板の上面に接着層を介して剥離自在に並列された複数枚のステッカー本体とから成り、前記ステッカー本体は、少なくとも車両のルームミラーの背面側に貼り付けることができるように所定の大きさの長方形状に形成され、かつ、表面には、車検が済んだ時或いは車両販売時、次の車検の有効期限を意味する数字を横方向に付すことができる表示欄が設けられていることを特徴とする車検用ステッカー。
【請求項２】
請求項１に於いて、ステッカー本体の表示欄の一端部７ａには、予め次の車検の「年度を意味する数字」が固定的に印刷され、一方、表示欄の他端部７ｂには、車検の「最終月」を付し得る表示部分が余白のまま設けられていることを特徴とする車検用ステッカー。
【請求項３】
請求項２に於いて、他端部７ｂの余白表示欄には、「月」を意味する数字を書き込む、或いは数字をスタンプする、或いはまた数字片を貼付ける、のいずれか一つの方法により、「最終月」を付することを特徴とする車検用ステッカー。
【請求項４】
請求項１又は請求項２に於いて、少なくとも車検の「最終月」を付し得る表示欄には、筆記具や数字片で付することができる二桁のデジタル表示が予めセグメント的に描かれていることを特徴とする車検用ステッカー。
【請求項５】
請求項１に於いて、有効期限の表示欄に対して、ステッカー本体の長手方向の一端部に、該表示欄と異なる色彩を有し、かつ、複数個の文字を横書きしてなる横帯状の情報表示部分が設けられていることを特徴とする車検用ステッカー。
【請求項６】
請求項１に於いて、有効期限の表示欄の中央部には、「年度を意味する数字」の左側表示領域と「最終月を意味する数字」の右側表示領域とをそれぞれ視覚上区分けする機能及び役務提供者を識別する機能を有する標識が付されていることを特徴とする車検用ステッカー。
【発明の詳細な説明】
【技術分野】
【０００１】
本発明は、車検用ステッカーに関する。
【背景技術】
【０００２】
車両のフロントガラス内面の上方中央部には、車検の有効期限を示すワッペン状の車検用ステッカーが貼付されている。現在使用されている車検用ステッカーは、周知のように、矩形体であり、その表面の中央部には、有効期限の年度や月を意味する数字（例えば年度を意味する小さな数字「１７」と月を意味する比較的大きめの数字「１２」など）が描かれている。上記構成の車検用ステッカーは、車検の有効期限を視覚で認識することができるから、利用自体には支障がない。しかし、次のような問題点がある。
(a)現に使用されている車検用ステッカーを観察して見ると、縦・横３０ｍｍ程度の正方形であり、かつ、表面に模様が施されているものの「一色」である。したがって、比較的小さいという事情もあって、有効期限の判別がし難いと感じる人もいる。
(b) 車検用ステッカーの表面に付されている数字や文字が「画一的内容」である。例えば当該車両の点検・整備・車検手続き代行、販売等を取り扱った整備工場や販売店に関する情報を表示する機能を有していない。
(c) フロントガラス内面にステッカーを貼られるのを好まないエンドユーザも存在する。
【０００３】
さて、特許庁のＨＰのデータベースを検索すると、車検用ステッカーに関する先行技術の一例として特許文献１が存在する。この特許文献１に記載の車検用ステッカーは、視認情報に代わり、外部の質問器から質問信号を発信し、いわゆる非接触式が電子回路を備えたステッカー本体から車両番号、車検の有効期限等の車検ないし整備情報を取得する構成である。
【０００４】
確かに、この車検用ステッカーは、前記(c)の要望を満足させることができる点で、その限りでは優れ物である。しかしながら、この車検用ステッカーは、質問器が必要であることから、取り扱いが面倒であるし、また電子回路等が必要であることから、コスト高になるという問題点がある。また、前記(b)の識別機能を発揮させることができない。
【特許文献１】特開平６−１８０７７５号公報
【発明の開示】
【発明が解決しようとする課題】
【０００５】
本発明の目的は、現在使用されている車検用ステッカー及び特許文献１の問題点を一掃することである。
【課題を解決するための手段】
【０００６】
本発明の車検用ステッカーは、シート状ベース板と、このベース板の上面に接着層を介して剥離自在に並列された複数枚のステッカー本体とから成り、前記ステッカー本体は、少なくとも車両のルームミラーの背面側に貼り付けることができるように所定の大きさの長方形状に形成され、かつ、表面には、車検が済んだ時或いは車両販売時、次の車検の有効期限を意味する数字を横方向に付すことができる表示欄が設けられていることを特徴とする。
【０００７】
上記構成に於いて、ステッカー本体の表示欄の一端部７ａには、予め車検の「年度を意味する数字」が固定的に印刷され、一方、表示欄の他端部７ｂには、車検の「最終月」を付し得る表示部分が余白のまま設けられていることを特徴とする。
【０００８】
また、前記「付する」行為には、「月」を意味する数字を書き込む、或いは数字をスタンプする、或いはまた数字片を貼付ける、のいずれか一つが含まれる。また、少なくとも車検の「最終月」を付し得る表示欄には、筆記具や数字片で付することができる二桁のデジタル表示が予めセグメント的に描かれている。さらに、有効期限の表示欄に対して、ステッカー本体の長手方向の一端部に、該表示欄と異なる色彩を有し、かつ、複数個の文字を横書きしてなる横帯状の情報表示部分が設けられている。加えて、有効期限の表示欄の中央部には、「年度を意味する数字」の左側表示領域と「最終月を意味する数字」の右側表示領域とをそれぞれ視覚上区分けする機能及び役務提供者を識別する機能を有する標識が付されている。
【発明の効果】
【０００９】
（１）筆記具や数字片が存在するだけで、少なくとも有効期限の「最終月」を表示部に付することができるから、取り扱いが非常に簡単である。
（２）整備員、ユーザ等にとって、有効期限の「最終月」が非常に判り易い。特に、車両のルームミラーの背面側に貼り付けた場合には、視認上の効果は絶大である。
（３）標識が付された実施例の場合には、例えば当該車両の点検・整備・車検手続き代行、販売等を取り扱った整備工場や販売店に関する情報(商号やシンボルマーク、場合によってはユーサ名等)を表示するから、役務提供者の宣伝や自己が取り扱ったユーザか否かの識別が可能となる。
（４）普通一般のステッカーと同様なので、安価に製作することができる。
（５）法定用の車検ステッカーは、貼る場所、大きさ、形状等が規則で決まっているが、役務の提供者は、これと併用してルームミラーの背面側に任意に貼付することができる。したがって、ユーザに対して法定用の車検ステッカーと共に車検の有効期限の注意を促すことができる。
【発明を実施するための最良の形態】
【００１０】
以下、図１乃至図４に示す本発明を実施するための最良の形態により説明する。図１は車検用ステッカーＸの正面図、図２はベース板１とステッカー本体２の「１枚」とを分離した状態の説明図である。図１及び図２から明らかなように、本発明の車検用ステッカーＸは、シート状のベース板１と、このベース板１の上面に接着層３（ステッカー本体２の裏面に接着剤が塗布されている部分）を介して剥離自在に並列された複数枚のステッカー本体２とから成る。
【００１１】
図１では説明の便宜上、ステッカー本体２を「合計２枚」示しているが、例えばＡ４サイズのベース板１に、縦方向と横方向に整列状態に合計１２枚設けても良い。その枚数を特に限定するものではない。
【００１２】
まず、本実施例のステッカー本体２は、図３で示すように、車両Vのフロントガラス４よりも内側に位置するルームミラー５の背面（フロントガラスの外側から見える壁面）５aに貼り付けることができる。したがって、所定の大きさの長方形状に形成されている。図１の実施例では、ルームミラー５の背面５aの適宜箇所に貼付した場合に於いて、あまり目ただないように、例えば「縦３．３ｃｍ」、「横７．４ｃｍ」の比較的小さなラベル状に形成されている。ステッカー本体２の大きさと形状は、常識の範囲内で適宜に設定し得る。
【００１３】
次に、ステッカー本体２の貼り付ける箇所は、発明の目的との関係で、自己又は他人が、常に車検の有効期限を認知することができるように、或いは直ちに車検切れが判るように、或いはまた役務提供者が、自己の点検・整備等のサービスを受けたエンドユーザであるか否か容易に判別できるように、加えて、役務提供者の商標的機能を発揮させることができるように、多面的理由から、少なくとも車両のフロントガラス４の外側から見えるルームミラー５の背面５a側が望ましい(法的に許容範囲の場所に貼り付けることが可能である)。
【００１４】
次に、ベース板１は、素材自体から可撓性を有している。一方、ステッカー本体２の材質は、ベース板１と同様に形態保持性を有することが望ましいので、例えばポリエチレンテレフタレートを用いている。しかし、ステッカー本体２の材質はこれに限定するものではない。要は接着層３を設けることができる合成樹脂材、或いは形態保持機能を有する図示しない複数本或いは多数の金属線を含むシートであれば良い。
【００１５】
次に、ステッカー本体２の表面には、車検が済んだ時、或いは車両販売時、車検の有効期限を意味する数字を横方向に付すことができる表示欄が設けられている。本実施例では、ステッカー本体の表示欄７の一端部７ａには、予め車検の「年度を意味する数字ａ（例えば２０）」が固定的に印刷され、一方、表示欄７の他端部７ｂには、車検の「最終の月」を表示し得る表示部分が余白のまま設けられている。前記一端部７ａの数字ａ（例えば２０）は、黒色で印刷されている。この黒色の数字ａ以外は、前記他端部７ｂも含め、白色、シルバー色等の明度のある色が着色されている。
【００１６】
本実施例では、数字ａの黒色と他端部７ｂの表示部分の「白色等」は、明度差のトーンが著しく離れている。であるから、他端部７ｂの表示部分（余白）を「白色」にした場合に於いて、前記数字ａを「緑色」にするなど異なった彩色に見えるようにしても良いことはもちろんである。
【００１７】
次に、他端部７ｂの余白表示欄には、「月」を意味する数字を書き込む、或いは数字をスタンプする、或いはまた数字片を貼付ける、のいずれか一つの方法により、「最終月」を表示する。
【００１８】
本実施例では、図１で示すように、少なくとも車検の「最終月」を表示し得る表示欄７ｂには、例えば油性インクの筆記具で数字を書き込むことができる二桁のデジタル表示８が予めセグメント的に描かれている。
【００１９】
ところで、ステッカー本体２の表面には、有効期限の表示欄７に対して、ステッカー本体の長手方向の少なくとも一端部、本実施例では、上辺と下辺の両端部に、該表示欄７と異なる色彩を有し、かつ、複数個の文字を横書した帯状の情報表示部分９，９Ａが設けられている。
【００２０】
しかして、前記上辺側の帯状の情報表示部分９には、「ＳＡＦＥＴＹ」、「ＤＲＩＶＥ」、「セフティードライブ」、「交通安全」等の交通安全関連を意味する文字情報が付されている。一方、前記下辺側の情報表示部分９Ａには、国土交通省指定工場、車検済、整備工場等の「車検関連情報」の文字情報が付されている。
【００２１】
また、上記実施例に於いて、図１で示すように、表示欄７の中心部の略中央部に左右の表示領域を区分すると共に、表示欄７の一端部７ａに付された年度を意味する数字ａ（例えば２０）と他端部７ｂに付される車検の最終月を意味する数字とが関連性を有する旨（車検の有効期限を意味する数字）の符号、例えばハイフンcを予め表示している。
【００２２】
上記構成に於いては、使用する際、図２で示すように、ベース１から所望のステッカー本体２を「１枚」剥がし、図３で示すように最終月の一例である例えば「７」の数字bを、表示欄７の他端部７ｂの一桁のデジタル表示８に付する。ここで「付する行為」には、数字片を貼り付けこと、数字をスタンプするとこ、又は数字を筆記具で書き込みすることが含まれる。
【００２３】
ところで、図３では、前記数字ｂ (例えば７)は、別紙数字シート１５に多数の数字片１６が剥離自在に設けられているので、その１枚１６を剥離し、表示欄７の他端部７ｂの一桁のデジタル表示８にそのまま貼り付けている。この実施例では、判りやすいように、数字ｂ(７)は、四角い小片の表面に描いている。もちろん、数字ｂ(７)は、俗にいう数字の部分７のみを剥離可能にしても良い。またこれは一例であり、例えば油性インクの筆記具で、最終月の一例である「７」の数字を適宜に付しても良い。
【００２４】
図４は、車検が済んだ時、或いは車両販売時、役務提供者が、次の車検の有効期限を意味する数字を表示欄７の他端部７ｂに付した後に、車両Ｖのフロントガラス４の内側に位置しているルームミラー５の背面５aに貼り付けた一例を示す。
【実施例】
【００２５】
発明の実施の形態で示した実施例に於いて、図５で示すように、表示欄７の一端部７ａと、表示欄７の他端部７ｂの両方に、予め数字を付さないで、筆記具や数字片で数字を付することができる二桁のデジタル表示を予め描いておいても良い。このような場合には、多少面倒であるが、両端部７ａ，７ｂに車検の有効期限を意味する数字a、bを付する。
【００２６】
さらに、図６は、第１実施例を前提として、有効期限の表示欄７の中央部に「年度を意味する数字」の左側の表示領域と「最終の月を意味する数字」の右側の表示領域とをそれぞれ視覚上区分けし、かつ、役務（サービス）の提供者を識別表示した標識（例えば商標、商号の略称、キャラクター等）Ｍが付されている。なお、標識Ｍは、説明の便宜上、台形で示す。
【産業上の利用可能性】
【００２７】
本発明は、主に自動車の点検・整備（車検を含む）業界で利用される。
【図面の簡単な説明】
【００２８】
図１乃至図４は本発明の最良の実施例を示す各説明図。図５及び図６は本発明の異なる実施例を示す各説明図。
【図１】車検用ステッカーＸの正面図。
【図２】ベース板１とステッカー本体２との関係を示す説明図。
【図３】表示欄の他端部に数字を付する行為の概略説明図。
【図４】数字を付したステッカーＸを使用する一例の説明図。
【図５】ステッカーＸの第２第実施例を示す説明図。
【図６】ステッカーＸの第３第実施例を示す説明図。
【符号の説明】
【００２９】
Ｘ…車検用ステッカー、V…車両、１…ベース板、２…ステッカー本体、３…接着層、４…フロントガラス、５…ルームミラー、５a…背面、７…表示欄、７a…一端部、７b…他端部、８…デジタル表示、９，９Ａ…情報表示部分、a、ｂ…数字、Ｍ…標識、１５…別紙数字シート、１６…数字片。
【図１】
2006220763.tif 000003
【図２】
2006220763.tif 000004
【図３】
2006220763.tif 000005
【図４】
2006220763.tif 000006
【図５】
2006220763.tif 000007
【図６】
2006220763.tif 000008